(57)【要約】【課題】記憶装置の残りの記憶スペースにある番組が完全に記録されることが可能であるかを示すための方法を提供する。【解決手段】オンスクリーン表示装置は、第一の軸と第二の軸とを有するグリッド２１０として構成される。第一の軸は、プログラミングセレクションを識別するためのものであり、第二の軸は、プログラミングセレクションのそれぞれのブロードキャストの時間を識別するためのものである。記憶装置の残りの記憶スペースに完全に記録されるのが現在可能である何れかのプログラミングセレクションは、第一の個別の視覚的な識別子２２０を使用してグリッドで識別される。記憶装置の残りの記憶スペースに完全に記録されるのが現在不可能である何れかのプログラミングセレクションは、第二の個別の視覚的な識別子を使用してグリッドで識別される。【選択図】図２
2010166621.tif 000002
【特許請求の範囲】
【請求項１】
表示装置のために記憶装置の残りの記憶容量に番組を完全に記録することが可能であるかを示すための方法であって、
番組選択を識別するための第一の軸と、前記番組選択のそれぞれのブロードキャストの時間を識別するための第二の軸とを有するグリッドとしてオンスクリーンディスプレイを構成するステップを備え、
前記記憶装置の残りの記憶容量に完全に記録されるのが現在可能である番組選択は、第一の個別の視覚的な識別子を使用して前記グリッドで識別され、前記記憶装置の残りの記憶容量に完全に記録されるのが現在不可能である番組選択は、第二の個別の視覚的な識別子を使用して前記グリッドで識別される、
ことを特徴とする方法。
【発明の詳細な説明】
【技術分野】
【０００１】
本発明は、記憶装置全般に関し、より詳細には、特定の番組を完全に記録するために十分な容量が記憶装置に残されているかに関する指示を提供することに関する。
【背景技術】
【０００２】
ＦＩＲＥＷＡＲＥ又はｉ−Ｌｉｎｋとしても知られているＩＥＥＥ１３９４（以下１３９４と呼ぶ）は、コピープロテクション、シングルケーブルにわたりオーディオ及びビデオ（あるケースでは電力）の送信、ネットワークコマンドの送信が可能な高速接続である。装置の背後にある２つの１３９４コネクタにより、１３９４装置は、１３９４装置からなるネットワークを形成するため、ハブ又は装置−装置のコンフィギュレーションのいずれかで接続することができる。
【０００３】
たとえばＲＣＡ  ＤＭ２ＣＲといった高精細テレビジョン（ＨＤＴＶ）のような表示装置のなかには、通信のために双方向である２つの１３９４コネクタを有するものがある。すなわち、これらのコネクタは、メディアをＨＤＴＶに（外部ソースから）入力すること、メディアをＨＤＴＶから（記憶装置のような外部装置に）出力することが可能である。１３９４を介してオーディオ及びビデオを出力するＨＤＴＶへの利益は、ＨＤＴＶにより受信及び同調されたデジタルテレビジョン番組がデジタルレコーダに出力されるか、記録することができる。本発明が適用される場合があるデジタルレコーダの例は、限定されるものではないが、ＡＶＨＤＤ（Ａｕｄｉｏ  Ｖｉｄｅｏ  Ｈａｒｄ  Ｄｉｓｋ  Ｄｒｉｖｅ）、ＤＶＣＲ（Ｄｉｇｉｔａｌ  Ｖｉｄｅｏ  Ｃａｓｓｅｔｔｅ  Ｒｅｃｏｒｄｅｒ）等を含んでいる。（たとえばＨＡＶＩ（Ｈｏｍｅ  Ａｐｐｌｉａｎｃｅ  Ｖｉｒｔｕａｌ  Ｉｎｔｅｒｆａｃｅ）のような）他のインタフェースメカニズムは、上述された機能を達成するために使用される場合がある。
【０００４】
ＤＭ２ＣＲ  ＨＤＴＶは１３９４を介してビデオを出力することができるので、ＡＶＨＤＤ（Ａｕｄｉｏ  Ｖｉｄｅｏ  Ｈａｒｄ  Ｄｉｓｋ  Ｄｒｉｖｅ）は、ＤＭ２ＣＲ  ＨＤＴＶに対する理想的なコンパニオンアクセサリをつくる。ＡＶＨＤＤがそれ自身所有のリモート又はそれ自身所有のオンスクリーンディスプレイ（ＯＳＤ）のいずれも有しないので、ＴＶリモートは、ＶＨＤＤ（たとえば、再生、記録、停止等）を動作するために使用することができる。
【０００５】
しかし、ＨＤＴＶ及びＡＶＨＤＤを含む先のアレンジメントでは、特定の番組を記録するために十分な容量がハードドライブに存在するかをユーザが知ることができるように、ＡＶＨＤＤでの残りの容量をユーザにどのように知らせるかについて問題がある。記憶装置がかかる情報を表示するためにビデオ信号を生成不可能であるため、記録又は表示の間に情報がＡＶＨＤＤから抽出することができないときに更なる問題がある。これに応じて、その完全な形で番組を記録するための不十分な容量が存在することをその記録の間に確かめるために番組を記録している場合がある。
【発明の概要】
【発明が解決しようとする課題】
【０００６】
したがって、それ自身が有するオンスクリーンディスプレイ（ＯＳＤ）を有しないＡＶＨＤＤに番組を完全に記録するために十分な容量が残されているかに関する指示をユーザに提供するための方法を有することが望まれ、非常に有利である。
【課題を解決するための手段】
【０００７】
本発明の態様によれば、ＡＶＨＤＤ（Ａｕｄｉｏ  Ｖｉｄｅｏ  Ｈａｒｄ  Ｄｉｓｋ  Ｄｒｉｖｅ）のような記憶装置であって、表示装置に結合される記憶装置の残りの容量に番組を完全に記録可能であるかを示すための方法が提供される。オンスクリーンディスプレイ（ＯＳＤ）装置は、第一の軸と第二の軸を有するグリッドを生成するために構成される。第一の軸は、番組選択（プログラムングセレクション）を識別するためのものであって、第二の軸は、プログラムングセレクションのそれぞれの放送時間を識別するためのものである。ＡＶＨＤＤの残りの記憶容量に現在完全に記憶可能なプログラミングセレクションは、第一の別々のビジュアル識別子を使用してグリッド上で識別される。ＡＶＨＤＤの残りの記憶容量に現在完全に記憶不可能なプログラミングセレクションは、第二の個別のビジュアル識別子を使用してグリッドで識別される。
【０００８】
本発明の別の態様によれば、番組がオンスクリーンディスプレイ（ＯＳＤ）を持たないＡＶＨＤＤ（Ａｕｄｉｏ  Ｖｉｄｅｏ  Ｈａｒｄ  Ｄｉｓｋ  Ｄｒｉｖｅ）であって、ＯＳＤを有する高精細テレビジョン（ＨＤＴＶ）に結合されるＡＶＨＤＤでの残りの記憶容量にある番組が完全に記憶されるかを示すための方法が提供される。ＨＤＴＶのＯＳＤは、第一の軸と第二の軸とを有するグリッドとして構成される。第一の軸は、プログラミングセレクションを識別するためのものであって、第二の軸は、プログラミングセレクションのそれぞれのブロードキャストタイムを識別するためのものである。高精細及び標準の精細の両者でブロードキャストされるプログラミングセレクションであるが、標準精細度でＡＶＨＤＤの残りの記憶容量に現在完全に記録されているプログラミングセレクションは、かかる機能を示すための個別のビジュアル識別子を使用してグリッドで識別される。
【０００９】
本発明のこれらの態様、特徴及び利点、並びに他の態様、特徴及び利点は、添付図面と共に読まれることとなる、好適な実施の形態に関する以下の詳細な記載から明らかとなるであろう。
【図面の簡単な説明】
【００１０】
【図１】本発明の例示的な実施の形態に係る、本発明が適用される場合があるＡＶＨＤＤ（Ａｕｄｉｏ  Ｖｉｄｅｏ  Ｈａｒｄ  Ｄｉｓｋ  Ｄｒｉｖｅ）を例示するブロック図である。
【図２】本発明の例示的な実施の形態に係る、オンスクリーンディスプレイ（ＯＳＤ）をもたないオーディオビデオハードディスクドライブ（Ａｕｄｉｏ  Ｖｉｄｅｏ  Ｈａｒｄ  Ｄｉｓｋ  Ｄｒｉｖｅ）であって、ＯＳＤを有する高精細テレビジョン（ＨＤＴＶ）に結合されるオーディオビデオハードディスクドライブでの残りの記憶容量にある番組が完全に記録可能であるかを示すための方法を例示するフローチャートである。
【図３】本発明の例示的な実施の形態に係る、オンスクリーンディスプレイ（ＯＳＤ）をもたないオーディオビデオハードディスクドライブ（Ａｕｄｉｏ  Ｖｉｄｅｏ  Ｈａｒｄ  Ｄｉｓｋ  Ｄｒｉｖｅ）であって、ＯＳＤを有する高精細テレビジョンに結合されるオーディオビデオハードディスクドライブでの残りの記憶容量にある番組が完全に記録可能であるかを示すための別の方法を例示するフローチャートである。
【発明を実施するための最良の形態】
【００１１】
本発明は、ある特定の番組を記憶装置に完全に記録するため、十分な記憶容量が記憶装置に残されているかを示すことを提供するための方法に向けられる。さらに、本発明により、ユーザは、ＡＶＨＤＤのような記憶装置の残りのスペースに番組を記録することが現在不可能であるときに、特定の番組のついての余地をユーザに与えることを自動的に可能にする。このことは、たとえば、１以上の既存のテレビ番組を削除すること、及び／又は高精細から標準精細にブロードキャストすべき番組をダウンサンプリングすることを含んでいる場合がある。用語「番組“ｐｒｏｇｒａｍ”」及び「プログラミング“ｐｒｏｇｒａｍｍｉｎｇ  ｓｅｌｅｃｔｉｏｎ”」は、本明細書で交換可能に使用されることを理解されたい。
【００１２】
本明細書の目的について、用語「記憶装置“ｓｔｏｒａｇｅ  ｄｅｖｉｃｅ”」は、オーディオ及び／又はビデオ情報を記憶可能な装置又はデバイスを言及する。かかる記憶装置は、ハードドライブ、フロッピー（登録商標）ディスク、ＤＶＤ、コンパクトディスク、ビデオテープレコーダ、フラッシュカード、並びにビデオ及び／又はオーディオ情報を記憶可能な他の媒体である。表示装置は、テレビジョン、モニタ、スクリーン等のようなビデオ情報を表示可能な装置である。
【００１３】
本発明は、ハードウェア、ソフトウェア、ファームウェア、特定用途向けプロセッサ又はこれらの組み合わせからなる各種の形態で実現される場合がある。好ましくは、本発明は、ハードウェア及びソフトウェアの組み合わせとして実現される。さらに、ソフトウェアは、プログラム記憶装置に有意に実施されるアプリケーションプログラムとして実現される。アプリケーションプログラムは、適切なアーキテクチャを有するマシンにアップロードされるか、又は該マシンにより実行される場合がある。好ましくは、マシンは、１以上の中央処理ユニット（ＣＰＵ）、ランダムアクセスメモリ（ＲＡＭ）、及び入力／出力（Ｉ／Ｏ）インタフェースのようなハードウェアを有するコンピュータプラットフォームで実現される。コンピュータプラットフォームは、オペレーティングシステム及びマイクロインストラクションコードをも含んでいる。本実施の形態で記載される各種の処理及び機能は、オペレーティングシステムを介して実行されるマイクロインストラクションの一部、アプリケーションプログラムの一部（又はその一部）である場合がある。さらに、様々な他の周辺装置は、更なるデータ記憶装置及びプリント装置のようなコンピュータプラットフォームに接続される場合がある。
【００１４】
添付図面に示される構成のシステムコンポーネント及び方法ステップのうちの幾つかは、ソフトウェアで実現されるのが好ましいため、システムコンポーネント（又はプロセスステップ）間の実際の接続は、本発明がプログラムされる方式に依存して異なる場合がある。本明細書における教示が与えられれば、当業者であれば、本発明のこれらの実現又はコンフィギュレーション、及び他の実現又はコンフィギュレーションを考案することができるであろう。
【００１５】
図１は、本発明の例示的な実施の形態に係る、本発明が適用される場合がある記憶装置としてのオーディオビデオハードディスクドライブ（ＡＶＨＤＤ：  Ａｕｄｉｏ  Ｖｉｄｅｏ  Ｈａｒｄ  Ｄｉｓｋ  Ｄｒｉｖｅ）を例示するブロック図である。ＡＶＨＤＤ１００は、デジタルシグナルプロセッサ（ＤＳＰ）１０２、ハードディスクドライブ（ＨＤＤ）１０４、及び少なくとも１つのＩＥＥＥ１３９４コネクタ１０６を含んでいる。ＤＳＰ１０２は、オーディオ及びビデオ信号を処理するためのものであり、以下に更に詳細に記載されるようにダウンサンプリングメディアに使用される場合がある。
【００１６】
ＡＶＨＤＤ１００は、少なくとも１つのＩＥＥＥ１３９４コネクタ１９８を有している、表示装置としての高精細テレビジョン（ＨＤＴＶ）１９９に結合されている。ＨＤＴＶ１９９のＩＥＥＥ１３９４コネクタ１９８は、ＡＶＨＤＤ１００のＩＥＥＥ１３９４コネクタ１０６に結合される。ＡＶＨＤＤ１００に記録されるべきビデオ及びオーディオ信号は、本発明に対応する制御コマンドと同様に、ＩＥＥＥ１３９４コネクタ１０６及び１０８、並びに対応するケーブル１９７を介して、ＨＤＴＶ１９９からＡＶＨＤＤ１００に提供される。ＨＤＴＶ１００は、ＨＤＴＶ１００の他の入力（図示せず）に結合される外部ソース（図示せず）からの番組データと同様に、ビデオ及びオーディオ信号を受ける。他の入力は、たとえば、コンポーネントビデオ入力、スーパービデオ（Ｓ−ｖｉｄｅｏ）入力、コンポジットビデオＲＣＡジャック等である場合がある。図１はＨＤＴＶに関して図示及び記載されているが、本発明の精神及び範囲を維持しつつ、本発明の様々な態様が標準精細テレビジョン（すなわち非ＨＤＴＶ）に関して実現される場合があることを理解されたい。
【００１７】
ＴＶリモートからＡＶＨＤＤへのコマンドは、オーディオビデオコントロール（ＡＶ／Ｃ）コマンドに「変換」され、ＴＶとＡＶＨＤＤとの間の１３９４コネクションを介して送出される。ＡＶ／Ｃ仕様は、１３９４トレードアソシエーションによりリリースされている。一組のＡＶ／Ｃドキュメンテーションは、汎用のＡＶ／Ｃ仕様のドキュメント（ＡＶ／Ｃ  Ｄｉｇｉｔａｌ  Ｉｎｔｅｒｆａｃｅ  Ｃｏｍｍａｎｄ  Ｓｅｔ  Ｇｅｎｅｒａｌ  Ｓｐｅｃｉｆｉｃａｔｉｏｎ，  １９９８  以下“ＡＶＣ  ９８ａ”）、及びそれぞれのタイプのサブユニット（ＶＣＲ，Ｔｕｎｅｒ，Ｄｉｓｃ等）のための個別のドキュメントに分離される。一般的な仕様（ＡＶＣ９８ａ）は、ＩＥＥＥ１３９４を使用してオーディオ／ビデオ装置を制御するための一組のコマンドを定義する。汎用の仕様（ＡＶＣ９８ａ）は、ＩＥＣ６１８８３−１，  Ｃｏｎｓｕｍｅｒ  Ｅｌｅｃｔｒｏｎｉｃ  Ａｕｄｉｏ／Ｖｉｄｅｏ  Ｅｑｕｉｐｍｅｎｔ  Ｄｉｇｉｔａｌ  Ｉｎｔｅｒｆａｃｅ  （１９９８−０２）（以下“ＩＥＣ６１８８３−１”と呼ぶ）に定義されるファンクションコントロールプロトコル（ＦＣＰ）に基づいている。ＡＶＣ９８ａ及びＩＥＣ６１８８３−１は、それらの完全な形で本明細書に引用により組み込まれる。
【００１８】
本発明の実施の形態によれば、オーディオビデオ／コントロール（ＡＶ／Ｃ）プロトコルは、ＡＶＨＤＤとＨＤＴＶの間でコマンドを送出するために使用される場合があり、ユーザがＲＥＣＯＲＤを押したとき、ＨＤＴＶは、以下を示すアラートパネルを表示する。
デジタル記録装置にＲＥＣＯＲＤＩＮＧ
［残りの記録容量：ＹＧＢのＸ（ｘｘ％）］
Ｙは、ＡＶＨＤＤが記憶することができるギガバイトの全体数であり、Ｘは残りのギガバイト数であり、ｘｘ％は、ＡＶＨＤＤの全体の記憶容量に関するＡＶＨＤＤの残りの容量のパーセンテージである。１つの例として、ＡＶ／Ｃコマンドは、先行するアラートパネルを得るためにＨＤＴＶに属している（それ自身所有のプログラマブルメモリを有する）特にプログラムされたリモートから発せられる。１つの例として、ＡＶ／Ｃコマンドは、先行するアラートパネルを得るためにＨＤＴＶに属する（それ自身が有するプログラマブルメモリを有する）特定用途向けにプログラムされたリモートから発生される場合がある。残りの記録スペース（Ｘ）又は残りのパーセンテージ（ｘｘ％）は、リモートを介してＡＶＨＤＤに向けられる問合せ又は他の処理を介して決定される場合がある。先行するアラートパネルを得るためのこのアプローチ及び他のアプローチは、本実施の形態で提供される本発明の教示が与えられて場合に、その精神を保持しつつ、本発明に従って実現される場合がある。
【００１９】
この先行するアラートパネルは、正弦波のアウェアネス（認識）をユーザに提供し、これによりユーザは、彼／彼女がまさに記録を開始した番組がＡＶＨＤＤにフィットするために十分な余地を有するかが分かる。番組がフィットすることができない場合、ユーザは、記録を停止して、新たなコンテンツがフィットして次いで記録を再開始するように、幾つかのコンテンツを削除する。代替的に、番組がフィットすることができない場合、現在記録がＡＶＨＤＤにフィットするのを可能にするために十分なコンテンツを削除しつつ、ユーザは、記録を続けることができる。
【００２０】
本発明の別の実施の形態によれば、番組ガイドは、異なるチャネルに表示される利用可能なプログラミングセレクションにより利用可能である（ブロードキャスト、オンデマンド等）。番組ガイドは、第一の軸でプログラミングセレクションを識別し、第二の軸でブロードキャストの時間を識別するグリッドを含んでいる。この情報は、ＩＥＥＥ１３９４インタフェース又は他の装置制御インタフェースを通して動作可能な装置を制御するために使用される場合がある。
【００２１】
ユーザは、グリッドに沿って移動可能な矢印キー又は他の入力メカニズムを使用することで異なるセレクションにわたりスクロールするためのリモートコントロールを使用することで、どのプログラミングを記録するかを選択することができる。電子番組ガイドは、２つの異なる色でプログラミングセレクションを示すことで、特定のセレクションを記録のためにどの位多くの時間が残されているかを示している。セレクションが緑で示されている場合、装置は、十分な記憶スペースの量がハードドライブに残されているため、その番組を記録することができる。セレクションが赤で示されている場合、ハードドライブは、そのセレクションを記録するために十分なスペースを有していない。
【００２２】
本発明の１実施の形態によれば、（番組が高精細であるか標準精細であるかに関わらず）ＡＶＨＤＤが一定のビットレートで記録し、番組について必要とされるスペースが番組の時間（たとえば１時間＝１ＧＢ）から導出されるので、十分なスペースがＡＶＨＤＤのハードドライブで利用可能であることをＴＶは判定する。異なる番組及び信号フォーマットはＡＶＨＤＤに異なる記録ビットレート（たとえば、ＡＴＳＣ，２５６ＱＡＭ，６４ＱＡＭ等）を必要とするので、番組の信号フォーマットは、当該番組に関するＥＰＧ情報に提供され、ＥＰＧ情報から抽出され、当該番組がＡＶＨＤＤにフィットするかをアルゴリズム的に決定するために使用される必要がある。
【００２３】
ユーザがプログラミングチョイスを赤で選択した場合、プログラミングガイドは、かかるセレクションが記録された順序で、セレクションを削除するかをユーザに尋ねる。セレクションは、たとえば、ファーストイン、ファーストアウト（ＦＩＦＯ）、ラストイン、ファーストアウト（ＬＩＦＯ）等を使用して削除される場合がある。
【００２４】
また、本発明は、黄色のような第三の色でプログラミングセレクションを更に示すオプションを提供し、この場合、プログラミングセレクションは記録されるが、より低い品質である。たとえば、プログラミングガイドは、３時間半のシットコムである３つの番組セレクションを示している。
【００２５】
第一のプログラミングチョイスは、標準精細度のテレビジョンで送信されるセレクションに対応している緑で示されている。
【００２６】
第二のプログラミングチョイスは、セレクションが記録されるが低い精細度であることを示す黄色で示されている。このケースでは、番組は、高精細度及び標準精細度の両方でブロードキャストされており、記録装置は、より低い精細度で番組を記録する。
【００２７】
第三のプログラミングチョイスは、セレクションが記録されない場合があることを示す赤で示されている。このケースでは、セレクションは、高精細度でのみ送信される。任意に、記録装置は、ユーザに提供されるオプションに基づいて、送信をダウンサンプリングする場合がある。
【００２８】
他のオプションは、本発明の原理を使用して、ハードドライブ又は記録装置のための記録スペースを節約するために使用される場合がある。たとえば、オーディオ、ビデオ、及び／又は補助データの態様は、その完全な形で記録されない番組が完全に記録されるのを可能にする。かかる態様は、限定されるものではないが、更なるサブチャネル又はマルチキャストの「マイナー」チャネル、更なるオーディオトラック（たとえば、番組のために代替的な言語）、クローズドキャプション（たとえば、プライマリ及び／又は更なるクローズドキャプション「サービス」）、番組及び非番組に関連するデータに関する電子番組ガイドデータを含んでいる場合がある。なお、先に述べたＤＭ２ＣＲといったＨＤＴＶにより、ユーザは、全てのデジタルチャネルのサブチャネル（たとえば、８−１，８−２，８−３及び８−４）又はまさに現在チューニングしているサブチャネル（たとえば８−３）を記録するのを望むかについてメニューデフォルトを設定することが可能である。
【００２９】
図２は、本発明の例示的な実施の形態に係る、オンスクリーンディスプレイ（ＯＳＤ）をもたないオーディオビデオハードディスクドライブ（ＡＶＨＤＤ）であって、ＯＳＤを有する表示装置としての高精細テレビジョン（ＨＤＴＶ）に結合されるＡＶＨＤＤの残りの記憶スペースに、ある番組が完全に記録可能であるかを示すための方法を例示するフローチャートである。
【００３０】
ＨＤＴＶのＯＳＤは、第一の軸と該第一の軸に実質的に垂直な軸を有するグリッドとして構成される（ステップ２１０）。第一の軸は、プログラミングセレクションを識別するためのものであって、第二の軸は、プログラミングセレクションのそれぞれの放送時間を識別するためのものである。
【００３１】
ＡＶＨＤＤの残りの記憶スペースに完全に記録することが現在可能な何れかのプログラミングセレクションは、第一の色を使用してグリッドで識別される（ステップ２２０）。ＡＶＨＤＤの残りの記録スペースに完全に記録することが現在不可能な何れかのプログラミングセレクションは、第二の色を使用してグリッドで識別される（ステップ２３０）。
【００３２】
所与の番組セレクションが残りの記憶スペースに完全に記録されることが現在不可能な第二の色によりグリッドで識別されるとき、所与のプログラミングセレクションがＡＶＨＤＤの残りのスペースに完全に記録される余地をつくるため、ＡＶＨＤＤから１以上の既に記録された番組を削除するためのオプションがユーザに自動的に提供される（ステップ２４０）。ステップ２４０は、ＡＶＨＤＤから１以上の既に記録された番組を削除するためのオプションを提供することを含む場合があり、ここでは、１以上の既に記録された番組はＡＶＨＤＤに記録されている。たとえば、ファーストイン、ファーストアウト（ＦＩＦＯ）、ラストイン、ファーストアウト（ＬＩＦＯ）等に関して削除するためのオプションがユーザに提供されている場合がある。オプションは、装置が最初にインストールされるときにＴＶメニューでセットアップされるメニューデフォルトを介して実現することができるか、ユーザが番組を記録しようと試みるときに現れる「ダイアログボックス」を介して実現される。
【００３３】
さらに、残りの記憶スペースに完全に記憶されるのが現在不可能であるとして、所与のプログラミングセレクションが第二の色によりグリッドで識別されたとき、所与の番組セレクションがＡＶＨＤＤの残りのスペースで完全に記録される余地をつくるため、ＡＶＨＤＤから既に記録された番組に対応するオーディオデータ、ビデオデータ及び／又は補助データの１以上の態様を削除するためのオプションがユーザに自動的に提供される（ステップ２５０）。
【００３４】
さらに、所与のプログラミングセレクションが、残りの記憶スペースで完全に記録されるのが現在不可能であるとして第二の色によりグリッドで識別され、所与のプログラミングセレクションが高精細でブロードキャストされるとき、所与のプログラミングセレクションが、標準精細でＡＶＨＤＤの残りの記憶スペースに完全に記録することができるように、所与のプログラミングセレクションをダウンサンプリングするためのオプションがユーザに自動的に提供される（ステップ２６０）。
【００３５】
図３は、本発明の例示的な実施の形態に係る、オンスクリーンディスプレイ（ＯＳＤ）をもたないオーディオビデオハードディスクドライブ（ＡＶＨＤＤ）であって、ＯＳＤを有する高精細テレビジョン（ＨＤＴＶ）に結合されるオーディオビデオハードディスクドライブの残りの記憶スペースに、ある番組を完全に記録することが可能であるかを示すための別の方法を例示するフローチャートである。
【００３６】
ＨＤＴＶのＯＳＤは、第一の軸と、該第一の軸に実質的に垂直な第二の軸を有するグリッドとして構成される。第一の軸は、プログラミングセレクションを識別するためであり、第二の軸は、プログラミングセレクションのそれぞれのブロードキャストタイムを識別するためのものである。
【００３７】
高精細及び標準精細の両者でブロードキャストされるべき何れかのプログラミングセレクションであって、標準精細でＡＶＨＤＤの残りの記憶スペースに完全に記録されるプログラミングセレクションは、かかる能力を示すためのグリッドでの個別の色で識別される（ステップ３２０）。
【００３８】
ステップ３２０は、デジタルチャネルが高精細及び標準精細の両方である番組をデジタルでブロードキャストしており、それぞれのバージョンが異なるサブチャネルに現れる（たとえば、チャネル８−１での高精細及びチャネル８−２での標準精細）ケースに向けられる場合があることを理解されたい。また、同じ番組をブロードキャスティングしているブロードキャスタを言及する場合があり、高精細バージョンは８−１でデジタル的にブロードキャストされており、アナログバージョンは、アナログでブロードキャストされている。
【００３９】
所与のプログラミングセレクションが、標準精細で完全に記録されるのが現在可能であるとして個別の色でグリッド上に識別されたとき、所与のプログラミングセレクションが高精細で完全に記録される余地をつくるため、ＡＶＨＤＤから１以上の既に記録された番組を削除するためのオプションがユーザに自動的に提供される（ステップ３３０）。ステップ３３０は、１以上の既に記録された番組はＡＶＨＤＤに記録された順序で、ＡＶＨＤＤから１以上の既に記録された番組を削除するためのオプションを提供することを含んでいる場合がある。たとえば、ユーザに提供される場合がある。ファーストイン、ファーストアウト（ＦＩＦＯ）、ラストイン、ファーストアウト（ＬＩＦＯ）等に関して削除するためのオプションがユーザに提供される場合がある。
【００４０】
さらに、標準精細で完全に記録されるのが現在可能であるとして個別の色でグリッドに所与のプログラミングセレクションが識別されたとき、少なくとも１つのオーディオデータ、ビデオデータ、及び所与のプログラミングセレクションが高精細でＡＶＨＤＤの残りのスペースで完全に記録される余地をつくるため、ＡＶＨＤＤから既に記録されたデータに対応する補助データのうちの少なくとも１つの態様を削除するためのオプションが自動的に提供される（ステップ３４０）。
【００４１】
なお、本発明の精神を維持しつつ、図２及び図３の方法が互いに実施することができることを理解されたい。たとえば、両方法が互いに使用されるケースでは、図３のステップ３２０に関して記載される個別の色は、図２に関して記載された第一及び第二の色とは異なる第三の色である。このように、完全に記録することができる番組が、ＡＶＨＤＤの残りのスペースに完全に記録することができない番組と合わせて識別されるだけでなく、標準精細で完全に記録されるが高精細では記録されない番組は、ある特定の番組が高精細及び標準精細の両者でブロードキャストされる必要があるときに識別される場合がある。
【００４２】
さらに、当業者であれば、番組が記憶装置にフィットすることができるかに関する事実は、色以外に個別の識別子を使用して示されることを理解されるであろう。たとえば、かかるビジュアル識別子は、限定されるものではないが、番組「セル」又は「グリッド」それ自身に現れるか、若しくは番組がハイライト表示されるときにＥＰＧにおける何処かに現れるアイコン、番組セルの形状（たとえば、セルは実線の代わりに破線からなる）、異なるサイズ又はフォントタイプ又は幾つかのやり方で強調される番組名のテキスト（たとえば、ボールド、アンダーライン、イタリック）、若しくは番組セル又はＥＰＧの他の視覚的に個別の特性を含んでいる場合がある。すなわち、本実施の形態で提供された本発明の教示が与えられた場合、当業者であれば、本発明の精神を維持しつつ、ある番組がＡＶＨＤＤにフィットすることができるかを示すため、これらのやり方又は他の様々なやり方を考案されるであろう。
【００４３】
ＡＶＨＤＤ、ＴＶ、表示装置、若しくは何れか記憶装置が先に記載されたグリッドを発生可能なＯＳＤを有する場合があることを理解されるであろう。グリッドは、高精細、標準精細、及びテレビ番組を記録するために使用される他のフォーマットのような様々な記録フォーマットで記憶装置に番組が記録される表示である。また、記憶装置及び表示装置は、単一のユニットに結合される場合があり、ユニットは、本発明の原理に従って動作する。
【００４４】
例示的な実施の形態は、添付図面を参照して記載されたが、本発明はこれら正確な実施の形態に制限されるものではなく、様々な他の変形及び変更が本発明の範囲又は精神を逸脱することなしに、当業者により影響される場合がある。かかる変更及び変形は、特許請求の範囲に定義された本発明の範囲に含まれることが意図される。
【符号の説明】
【００４５】
１００：ＡＶＨＤＤ
１０２：ＤＳＰ
１０４：ＨＤＤ
１０６：ＩＥＥＥ１３９４コネクタ
１９７：ケーブル
１９８：ＩＥＥＥ１３９４コネクタ
１９９：ＨＤＴＶ
【図１】
2010166621.tif 000003
【図２】
2010166621.tif 000004
【図３】
2010166621.tif 000005
【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
ビデオ装置に結合されるメモリ装置の残りの記憶容量に高精細の解像度の番組を完全に記憶可能であるかを示す方法であって、
番組選択を識別する第一の軸と前記番組選択のそれぞれの放送時間を識別する第二の軸とを有するグリッドを生成するステップと、
第一の番組について、前記第一の番組が前記メモリ装置の前記残りの記憶容量において高精細のフォーマットで記憶可能であることを示す第一のインジケータを生成するステップと、
第二の番組について、前記第二の番組が前記メモリ装置の前記残りの記憶容量において標準精細のフォーマットで記憶可能であることを示す第二のインジケータを生成するステップと、番組の標準精細は、前記第二の番組を高精細のフォーマットから標準精細のフォーマットへのダウンサンプリング、代替的な放送源のうちの少なくとも１つにより得られ、
第三の番組について、以前に記録された番組が削除された場合にのみ前記第三の番組を前記メモリ装置に記録することができることを示す第三のインジケータを生成するステップと、
前記以前に記録された番組の削除は、前記以前に記録された番組のオーディオの態様の削除、ビデオの態様の削除及び／又は補助情報の態様の削除のうちから選択され、前記以前に記録された番組のうちで選択されなかった他の態様は削除されない、
ことを特徴とする方法。